(57)【要約】  非侵襲的かつ客観的であって、ＢＵＴを計測するより負荷を軽減しつつ、かつ、ドライアイ診断の新たな基準に適する涙液層の評価方法、コンピュータプログラム、装置を提供する。  涙液層干渉縞画像における所定領域内の色情報が閾値以上に変化したときを開瞼時として検出するステップと、開瞼時から所定時間の経過時にあたる画像を抽出画像として前記涙液干渉縞画像から抽出するステップと、前記抽出画像の所定の対象領域をスキャンし局所領域の画素の色情報から判定値を算出する判定値算出ステップと、算出された前記判定値と閾値とを比較して該当する画素を検出するステップと、検出された画素と閾値とを比較して涙液層崩壊を示すか否かを評価する評価ステップとを含む。
2019009277.tif 000002
【特許請求の範囲】
【請求項１】
涙液層干渉縞画像における所定領域内の色情報が閾値以上に変化したときを開瞼時として検出するステップと、
開瞼時から所定時間の経過時にあたる画像を抽出画像として前記涙液干渉縞画像から抽出するステップと、
前記抽出画像の所定の対象領域をスキャンし局所領域の画素の色情報から判定値を算出する判定値算出ステップと、
算出された前記判定値と閾値とを比較して該当する画素を検出するステップと、
検出された画素と閾値とを比較して涙液層崩壊を示すか否かを評価する評価ステップと、を含む涙液層評価方法。
【請求項２】
前記判定値とは、前記局所領域における色情報から算出される色のばらつきを示す値であることを特徴とする請求項１に記載の涙液評価方法。
【請求項３】
前記色のばらつきを示す値とは、前記局所領域における分散又は偏差により算出される値であることを特徴とする請求項２に記載の涙液層評価方法。
【請求項４】
前記判定値とは、前記局所領域における色のばらつきを示す値を前記局所領域内の色情報の平均値で除した値であることを特徴とする請求項２または３に記載の涙液層評価方法。
【請求項５】
前記判定値とは、前記局所領域の色情報の平均値であることを特徴とする請求項１に記載の涙液層評価方法。
【請求項６】
前記所定時間とは、５秒であることを 特徴とする請求項１乃至５のいずれか１項に記載の涙液層評価方法。
【請求項７】
前記開瞼時から所定時間を検査者が変更できるようにするための所定時間変更ステップを含むことを特徴とする請求項１乃至６のいずれか１項に記載の涙液層評価方法。
【請求項８】
前記抽出画像は、所定時間の経過時にあたる画像と、その前又は後における所定数の複数のフレームの画像を取得することにより抽出されることを特徴とする請求項１乃至７のいずれか１項に記載の涙液層評価方法。
【請求項９】
コンピュータに、請求項１乃至８のいずれか１項に記載の各ステップを実行させるためのコンピュータプログラム。
【請求項１０】
請求項１乃至８のいずれか一項に記載の方法を実行する涙液層評価装置。
【発明の詳細な説明】
【技術分野】
【０００１】
本発明はドライアイか否かの判定を非侵襲で行うための涙液層の状態や崩壊を評価するための方法、コンピュータプログラム、装置に関する。
【背景技術】
【０００２】
眼球、ならびに、瞼は、涙液によって異物の侵入、乾燥、摩擦による損傷などから保護されている。涙液層はその大半を占める水と糖たんぱく質（ムチン）からなる液層とそれを覆う油層の２層によって涙液層をなし、油層は液層が直接空気に触れることを防ぐことにより液層の蒸発を防いでいる。油層の成分はまぶたに存在するマイボーム腺から分泌される。加齢や炎症、ならびに、擦傷などによりマイボーム腺が損傷すると正常な油層の形成が起こらなくなって液層が保持できなくなることなどを理由にドライアイといわれる症状を引き起こす。【０００３】
ドライアイか否かの判断の手法としては、従来から「シルマーテスト」及び「ＢＵＴ（Ｂｒｅａｋｕｐ  ｔｉｍｅ）テスト」が知られている。この「シルマーテスト」とは、目盛がついた濾紙を結膜と下瞼の間に５分間挟んだままにした状態を維持し、５分経過後における濾紙に吸収された涙液量を定量する方法である。【０００４】
一方、非特許文献１に示すように、「ＢＵＴテスト」は、涙液層の液層に融解するフルオレセイン等の蛍光色素を点眼し、励起光で蛍光を励起し、開瞼から涙液の液層の崩壊が起こるまでの時間をストップウォッチ等で計測するものである。【０００５】
こうしたドライアイの診断方法において、特に「シルマーテスト」については、濾紙を結膜と下瞼の間に挟むという侵襲試験であるため、試験後に目に違和感・異物感が残存してしまうという問題がある。さらにこの「シルマーテスト」は、濾紙を挟むことが目に対する刺激なることにより涙液の分泌を促してしまうなど、平時の涙液量が定量できず、結果として正しい評価ができない可能性があるという問題がある。【０００６】
また、一方の「ＢＵＴテスト」についても、使用する蛍光色素の点眼の位置や量等の違いによって蛍光の発生が異なることがある。また、そもそも涙液層のどの程度の状態・段階をもって涙液崩壊と判断するかは、実際に検査を行う者の知識や経験等の主観に依存する部分があるため測定バイアスが避けられないといった問題がある。「ＢＵＴ」の計測については、検査者の熟練度や主観が介在する割合が高く、客観的な計測結果を得るのが困難である。【０００７】
ここで、「ＢＵＴ」計測のための従来の装置の例を示す。特許文献１の装置は、光源から発せられた光をパターン投影板を介して被検者の角膜に投影し、パターンの角膜反射像を対物レンズによりテレビカメラに結像してその角膜反射像の状態変化を検出することにより「ＢＵＴ」を非侵襲で計測するもの、いわゆる「ＮＩＢＵＴ」を計測するものである。角膜反射像の状態変化の検出は、テレビモニタに示される角膜反射像についてテレビ走査線が示す複数の部位においてテレビ走査線の信号波形の乱れを検出することによりおこなっている。【０００８】
また、特許文献２に示す装置は、角膜からの蛍光反射光量を検出測定するものである。通常、反射光量は開瞼直後が最も多く、その時間経過とともに涙液層崩壊が表れるに従い反射光量は下がっていくので、この反射光量に閾値を設けることにより、涙液層崩壊の領域（面積）を検出するようにしている。
【先行技術文献】
【特許文献】
【０００９】
【特許文献１】特開２０００−２５４０９９号公報
【特許文献２】特許第３６９９８５３号公報
【非特許文献】
【００１０】
【非特許文献１】「ドライアイ診療ＰＰＰ（４１項乃至４５項）」（第１版第１刷発行：２００２年５月１日、編集：ドライアイ研究会、発行者：中尾俊治、発行所：株式会社メジカルビュー社）
【発明の概要】
【発明が解決しようとする課題】
【００１１】
しかしながら、特許文献１の装置では、角膜に照射するための光源及びパターン投影板、テレビカメラおよびテレビモニタといった構成が必要となり、装置が複雑化し、その分コスト高となる。また、特許文献２の装置は、フルオレセインの点眼をする場合には、上述したような検査者の経験等に依存する部分が介在するおそれがある。【００１２】
また、特許文献１及び特許文献２の装置は共に、所定レベル以上の鮮明さと明るさを備える反射光像又は反射光量を得ないと正しく評価されないおそれがあるため、位置合わせの微調整や必要であり、また、被検者個々の状態や周囲の環境に応じて閾値を調整する必要があった。【００１３】
さらに、近年、「シルマーテスト」の上述したような問題点に鑑み、ドライアイの診断にあたって「シルマーテスト」を行わずに、単に「ＢＵＴ」が５秒以下である場合をドライアイと診断する、という診断基準が日本を含むアジア地区で採択されている。【００１４】
このように、「ＢＵＴ」が５秒以下である場合にドライアイと判断する、こととなった場合、裏を返せば、開瞼時から５秒経過時点の涙液層の崩壊の様子を確認することができればドライアイか否かの判断ができる、ということであり、こうした診断基準の変化に即した装置及び方法が求められることになるという事情もある。【００１５】
本発明は以上のような従来の問題点に鑑みてなされたものであり、「ＢＵＴ」の正確な計測ではなく、開瞼時から所定時間経過後時点の涙液層の様子を確認することによりドライアイの診断を容易かつ確実にし、さらに、これを非侵襲的に実現する装置および方法を提供するものである。
【課題を解決するための手段】
【００１６】
本発明に係る涙液層評価方法、コンピュータプログラム、装置は、以下に示すステップおよび手段を含むものである。
（１）涙液層干渉縞画像における所定領域内の色情報が閾値以上に変化したときを開瞼時として検出するステップと、開瞼時から所定時間の経過時にあたる画像を抽出画像として前記涙液干渉縞画像から抽出するステップと、前記抽出画像の所定の対象領域をスキャンし局所領域の画素の色情報から判定値を算出する判定値算出ステップと、算出された前記判定値と閾値とを比較して該当する画素を検出するステップと、検出された画素と閾値とを比較して涙液層崩壊を示すか否かを評価する評価ステップと、を含む。
（２）上記（１）において、前記判定値とは、前記局所領域における色情報から算出される色のばらつきを示す値であることを特徴とする。
（３）上記（２）において、前記色のばらつきを示す値とは、前記局所領域における分散又は偏差により算出される値であることを特徴とする。
（４）上記（２）または（３）において、前記判定値とは、前記局所領域における色のばらつきを示す値を前記局所領域内の色情報の平均値で除した値であることを特徴とする。
（５）上記（１）において、前記判定値とは、前記局所領域の色情報の平均値であることを特徴とする。
（６）上記（１）乃至（５）において、前記所定時間とは、たとえば５秒であることを特徴とする。 
（７）上記（１）乃至（６）において、前記開瞼時から所定時間を検査者が変更できるようにするための所定時間変更ステップを含むことを特徴とする。
（８）上記（１）乃至（７）において、前記抽出画像は、所定時間の経過時にあたる画像と、その前又は後における所定数の複数のフレームの画像を取得することにより抽出されることを特徴とする。
【発明の効果】
【００１７】
本発明は、以下の効果を奏する。すなわち、涙液層干渉縞画像が示す開瞼時から所定時間経過時に該当する画像にのみ解析を行うため、ＢＵＴを計測するより装置にかかる負荷を軽減しつつ、かつ、ドライアイ診断の新たな基準に適するものとなる。【００１８】
また、本発明によれば、蛍光色素の点眼等が必要ない非侵襲的であり、かつ、客観的な評価が可能となる。
【図面の簡単な説明】
【００１９】
【図１】瞬き検出のための輝度値の変化を示すグラフである。
【図２】ドライアイか否かの判定のフローについて、開瞼時刻及び所定時間経過後における涙液層干渉縞画像とその画像解析の例を模式的に表した図である。
【図３】涙液層干渉縞画像から抽出された抽出画像の対象領域の一部における各画素の色情報（輝度値）の一例と、判定値算出のための局所領域および算出結果を示す図である。
【図４】涙液層干渉縞画像取得装置の構成の概略図である。
【発明を実施するための形態】
【実施例１】
【００２０】
＜涙液層干渉縞画像の取得＞
角膜表面における涙液層の干渉縞画像を取得するための装置（涙液層干渉縞画像取得装置）については、撮影した画像をデジタルデータとして記録できるものであればよく、従来既知のものを適宜用いればよい。例えば、図４に概略を示すように、涙液層干渉縞画像取得装置は、光源１１から発せられ、絞りを通過した光線は、順にレンズ１２、スプリッタ１３、対物レンズ１４を経て、被検者の被検眼の前眼部１５に集光される。前眼部１５からの反射光は、対物レンズ１４およびスプリッタ１３を通過し、結像レンズ１６を経て撮像素子１７上に結像される。撮像素子１７に結像された撮影データは、画像処理エンジンによる所定の処理が施され、画像データ、動画像データに変換される。【００２１】
涙液層干渉縞画像取得装置は、本発明に係る涙液層評価装置と物理的又は論理的に接続される。当該涙液層評価装置は、データを演算および処理する処理手段、涙液層干渉縞画像取得装置により取得された画像データ、動画像データおよびその他のデータを記憶する記憶手段を備えるものであり、当該記憶手段には、本発明を実施するためのコンピュータプログラムや所定のデータがそれぞれ記憶されており、処理手段は、当該コンピュータプログラム等による所定の命令に従ってデータの処理を行うものである。【００２２】
このように得られた涙液層干渉縞画像についてドライアイ判定のための処理について以下説明する。なお、以下の説明については、特に断らない限り、涙液層干渉縞画像とは、所定の時間にわたって撮影された複数の連続するフレームからなる動画像であって、涙液層評価装置自体又はこれに接続された記憶装置に記憶されているものとする。【００２３】
＜画像の色情報＞
まず、本発明において用いることが出来る色情報について説明する。色情報としては、例えば、多くの電子画像機器で用いられている方式である、赤、緑、青の３色の色要素（ＲＧＢ色空間の数値）を用いる方法がある。【００２４】
具体的には、各画素の色情報とは、画素が持つ赤、緑、青の色要素の輝度または明度であり、ＲＧＢ色空間における赤、緑、青の少なくとも１つ以上の色要素の輝度をそのまま用いてもよいし、グレースケール階調に変換したものを用いるなどしてもよい。【００２５】
また、色情報は必要に応じて演算を施した数値であってもよい。例えば、それぞれの色要素における輝度の２つ以上を組み合わせて算出するようにしてもよいし、２つ以上の色要素を平均して算出してもよいし、各要素に対して異なる所定の重み付け係数をかけ合わせて与えてもよい。【００２６】
あるいは、赤、緑、青の３色の色要素から個別に変動係数を算出し、その中の最大の値を使用したり、最小の値を使用したり、２番目に大きい数値を使用したりしてもよい。【００２７】
なお、以下の説明は、ＲＧＢ色空間における輝度を用いる場合を元に例に説明するが、本発明において、色情報は、ＲＧＢ色空間における数値に限るものでないことは勿論であり、ＨＳＶ色空間、ＨＳＢ色空間、ＨＬＳ色空間、あるいはＨＳＬ色空間などで規定される輝度、あるいは、明度を使用してもよい。【００２８】
以下、個々の処理の内容について具体的に説明する。処理の流れの一例は図２に模式的に示すとおりであるが、撮影、記憶された涙液干渉縞画像における所定の色情報に基づいて開瞼時を検知するステップと、この開瞼時から所定時間後の画像を涙液干渉縞画像から抽出画像として抽出するステップと、その抽出画像の所定の色情報から涙液層崩壊の判定のための判定値を算出するステップと、その判定値に基づいて涙液層崩壊を示すか否かを判定するステップを含むものである。【００２９】
＜開瞼時検知＞
涙液層干渉縞画像についての開瞼時の検出について説明する。図１は、涙液干渉縞画像について、画像中央の２００×２００画素の矩形領域におけるＲ，Ｇ，Ｂ（赤，青，緑）各色要素の輝度の平均値を求め、その輝度の平均値を時刻との関係で表したグラフである。通常、瞬きが行われる場合、閉瞼による画像中の輝度の大幅な低下と、開瞼による輝度の大幅な上昇が起こるが、図１に示すデータもこのことを表している。【００３０】
このように、瞬きの閉瞼により当該輝度平均値の大幅な低下と、また、開瞼による上昇を利用し、この輝度平均値に対して所定の閾値を設定して、輝度平均値がその閾値以上に変化した時点を開瞼時として検出する。【００３１】
ここでは、ＲＧＢ各色要素の輝度の平均値により開瞼時を検出しているが、これに限るものではない。ＲＧＢ各色要素の輝度のうちのいずれかに基づいて検出してもよいし、２以上の色要素の輝度から適宜演算して得た値に基づいて検出してもよい。カラー画像の輝度をそのまま利用してもよいし、グレースケール階調に変換した画像の輝度等を利用してもよい。【００３２】
ただ、この開瞼時検知において所定領域の輝度の平均値を用いているのが好適な理由は、この閾値の設定を適正に行うためである。閾値は、任意に設定してもよいが、その場合、取得された涙液干渉縞画像は、被検者の目の状態、例えば、角膜の状態やまつ毛の量やその長さ、周囲の光量など様々な要因によって、明るさが一定ではないではないので、閾値の設定を一律に決めるのが困難で、涙液干渉縞画像の明るさに応じて変更する必要が生ずるおそれがある。【００３３】
そのため、画像の所定領域の輝度の平均値を閾値の設定に利用することで、画像自体の明るさ（輝度の大小）に関わらず、画像に応じた適正な閾値とすることができる。具体的には、このようにして得られた輝度平均値の最小値と最大値との中央値を閾値として設定するようにしてもよいし、最小値から所定値を加算、または、最大値から所定を減算した値を閾値としてもよい。瞬きにおける輝度平均値が示す変動の変動幅に収まる値を設定できる方法であればよい。【００３４】
＜所定時間経過時画像の抽出＞
上述の方法によって開瞼時を検出した場合、その開瞼時から所定の時間（たとえば５秒）経過時に該当する画像を涙液層干渉縞画像から抽出する。抽出画像は、１枚（１フレーム）のみでもよいし、その前又は後における所定数の複数のフレームを取得するようにしてもよい。【００３５】
なお所定時間は５秒としたが、被検者が５秒間開瞼を維持できずに目を閉じてしまうような場合は、検査者が任意に所定時間を短くできるように簡単な操作で所定時間が変更できるようにしておく、例えば涙液干渉縞画像取得装置側に所定時間設定のロータリースイッチなどを設けて置く、あるいはコンピュータ側からの簡単な操作で所定時間の設定ができるような手段を設けておくことが望ましい。またこの場合、下述の抽出画像の付帯情報に所定時間の情報を入れておく、例えば画像の隅に所定時間を小さく表示するなどしておくのが望ましい。【００３６】
こうして抽出された開瞼時から所定時間経過後にあたる涙液層干渉縞画像からの抽出画像について涙液層の崩壊を示すか否かを判定する。涙液層崩壊の判定に関する具体的な手法は、抽出画像の色情報から算出される判定値に基づいて涙液層の崩壊を判定するものである。以下、詳細に説明する。【００３７】
＜抽出画像に対する処理＞
後述する涙液層崩壊の判定のために抽出画像に対し判定値算出処理を行う。処理の具体的な一例として、抽出画像における色情報にどれぐらいばらつきがあるかを 算出する処理が挙げられる。【００３８】
具体的には、ＲＧＢ色空間の輝度を画像内の所定の領域内の各画素について調べ、赤、緑、青の少なくとも１つ以上の色要素の強度が領域内部でどれぐらいばらついているかを評価することにより得る方法である。【００３９】
ばらつきに関しては、各色要素の輝度の値から得られる分散値や偏差（標準偏差等）、もしくは、それら分散値や標準偏差等による値を領域内の画素の輝度の平均値で除算した値（変動係数）を用いてもよい。これらの値は必要により任意に選択して用いればよい。【００４０】
色のばらつきを示す値の算出は、抽出画像全体に対して算出するようにしてもよいが、注目画素およびこれに隣接する画素を一纏めにした画素を局所領域とし、その局所領域について色情報の多様性を求めるようにするのが好適である。このようにして求めた色のばらつきを示す値は、画像全体に対して算出する場合と比較して解析の即時性は低いながら、解像度が高く、且つ、空間的位置情報が元の画像と一致しているため、涙液層崩壊の位置や面積の特定に資する。具体的に図３Ａ及びＢを参照しつつ説明する。【００４１】
図３Ａは、ある画像の対象領域における注目画素とその注目画素を囲む８画素による３×３の計９画素が示す領域について輝度の標準偏差を算出している場合を示す模式図である。図３Ａの各数値は、当該画像の一部における各画素の輝度の数値を示すものである。【００４２】
図３Ａに示す「領域１」は、注目画素１およびそれを取り囲む画素からなる計９画素（３×３画素）からなる領域からなり、当該領域１において標準偏差を算出し注目画素１に出力する。これを図３Ａのような輝度を持つ画像の対象領域にスキャンした結果を示すのが図３Ｂである。【００４３】
つまり、注目画素とこれを中心とする所定の画素からなる局所領域における輝度等の色情報の標準偏差を注目画素に出力するフィルタにより、上述のとおり得た抽出画像の対象領域（全体又は所望の一部）をスキャンして画素毎に出力された標準偏差を記憶する。【００４４】
ここで、図３ＡおよびＢにおいて、具体的な数値を確認すると、領域１において注目画素１に出力された標準偏差を見てみると「２．２」と小さいが、領域２における注目画素２に出力された値は「７．１」と大きい。原則として、涙液層の状態悪化の程度が進むほど、色のばらつきが高くなる傾向にあるので、図３に示すデータにあっては、領域１と比較して領域２の方が色のばらつきが高いため、領域２の方が涙液層の状態が悪いと判断できることになる。【００４５】
なお、ここで、ドライアイ重症度グレード５を示すような涙液層崩壊が広範囲にわたる重症の被検者の場合、上述のような輝度等による色情報の分散や標準偏差により算出された数値のみだと涙液層崩壊を適切に判定できない場合がある。涙液層崩壊箇所は崩壊していない箇所と比較して輝度が一定でばらつきが少ない。このため涙液層の崩壊箇所が広範囲に及ぶと上述したような分散や標準偏差によるばらつきを示す値が大きくならない箇所が増え、結果として涙液崩壊が検出できない、もしくは、実態にそぐわないような軽症と判定されるおそれがあるためである。【００４６】
そのため、変動係数は以下の式に示すように、上述のとおり得られた輝度の分散や標準偏差による値をその領域における輝度の平均値で除算することにより得られる数値を用いるようにしてもよい。
［式１］
変動係数 ＝ 輝度の標準偏差 ／ 輝度平均値【００４７】
なお、これまでの説明では、図３は、注目画素およびそれを取り囲む画素による局所領域における標準偏差もしくは変動係数等の色のばらつきを示す値を注目画素毎にそれぞれ出力しているが、注目画素に出力せずに、その局所領域を一つの区分とみて、この区分毎に標準偏差を出力するようにしてもよい。また、当該領域又は区分は、３×３の計９画素に限るものではなく、任意の数の画素の集合であってよいのは勿論である。【００４８】
以上のとおり、色のばらつきを示す値は、所定領域における色情報（輝度等）のばらつき、すなわち、分散又は標準偏差等の偏差を求めることにより得られるものであり、また、これらの他、所定の領域における色情報のばらつきを示す値を所定領域における色情報の平均値で除算した値、すなわち、変動係数によるものである。【００４９】
＜涙液層崩壊の判定＞
涙液層の崩壊を示すか否かの判定は、抽出画像について上述のようにして得た、分散、標準偏差、変動係数等による色のばらつきを示す値に基づいて判定するものである。例えば、標準偏差等の色のばらつきを示す値が所定の閾値以上を示す画素または区分の数をカウントし、そのカウント数が所定閾値以上の場合に涙液層の崩壊が起こっていると判定する。【００５０】
別の方法としては、例えば、標準偏差等の色のばらつきを示す値が所定の閾値以上を示す画素または区分の面積を算出し、その面積が所定の閾値以上の場合に涙液層の崩壊が起こっていると判定するようにしてもよい。【００５１】
また、抽出画像のスキャン対象領域全体に占める標準偏差等の色のばらつきを示す値が所定の閾値以上を示す画素または区分の割合で判定してもよい。抽出画像のスキャン対象領域全体の画素数若しくは面積に占める色のばらつきを示す値が所定の閾値以上を示す画素の数若しくは面積の割合が所定以上の場合に涙液層の崩壊を判定するようにしてもよい。【００５２】
ただし、抽出画像における元の色情報が不適切であること等から算出される色のばらつきを示す値がノイズを含む可能性が否定できないため、色のばらつきを示す値が所定の閾値以上を示す画素または区分と判定されても、それが一の連続する領域として所定の大きさ（面積）に満たないものは除外するようにしてもよい。【００５３】
これまでの説明においては、まず涙液層干渉縞画像において被検者の開瞼時（t0）を検出し、その開瞼時（t0）から所定の時間経過後に該当する画像を抽出し、その抽出画像について涙液層崩壊の判定を行っている。上述のとおり、近年、ドライアイの診断にあたって単に「ＢＵＴ」が５秒以下である場合をドライアイと診断する、という診断基準が日本を含むアジア地区で採択されている。つまりこの新基準に照らせば、開瞼時（t0）から５秒後における抽出画像について涙液崩壊が判定されればドライアイであると診断できることを意味しており、従来のように「ＢＵＴ」を正確に計測する必要がなく、より簡便に、効率的にドライアイの診断に資するものである。
【実施例２】
【００５４】
実施例１においては、涙液崩壊の判定にあたっては、色情報から算出した判定値として色のばらつきを示す値に基づいて判定したが、判定値をこの色のばらつきを示す値に代えて、以下に示すように涙液崩壊について判定してもよい。【００５５】
涙液層崩壊箇所は、一般的に白色度が強く、且つ、輝度が崩壊していない箇所より大きな値を示す特徴がある。そのため、抽出画像の局所領域内における画素の輝度平均を算出し、その輝度平均値以上の輝度を示す局所領域内の画素を抽出するようにする。【００５６】
抽出された画素の数をカウントして、そのカウントされた数が所定の閾値以上である場合に涙液層崩壊と判定するようにする。また、画素の数ではなく、抽出された画素が示す面積が一定以上である場合や、対象領域に対する割合が一定以上である場合を涙液層崩壊と判断するようにしてもよい。【００５７】
涙液層崩壊箇所は、一般的に白色度が強く、且つ、輝度が崩壊していない箇所より大きな値を示す特徴があることを利用して、崩壊箇所の輪郭を抽出する方法を用いても良い。輪郭を抽出することにより、崩壊箇所をラベリングすることができる。ラベリングとは抽出した領域に番号をつけ、各々の領域の大きさや形状などについて情報を得ることができる方法のことである。粒子の大きさや形状を指標とすることにより、崩壊箇所として抽出すべきではない部分を除外することが可能である。画像に崩壊箇所が含まれているかどうかを、抽出された崩壊領域の数や面積、形状などにより、判定することができる。【００５８】
崩壊箇所の輪郭を抽出する方法としては微分フィルタ、ソーベルフィルタ、ラプラスフィルタなどの画像処理フィルタを利用する方法やキャニーエッジ抽出法などによって行うことができる。【００５９】
以上本発明について説明してきたが、本発明は上述の実施の例に限定されず種々の変形した形での応用が可能なものである。【００６０】
例えば、色のばらつきを示す値を算出するにあたり、元の画像を、適宜、拡大、または、縮小してもよい。拡大の方法としてはバイリニア法、バイキュービック法、Ｌａｎｃｚｏｓ法など間を埋める画素の輝度を関数で補完する方法が好ましい。拡大の効果としては部位によるより詳細な状態を取得できることにある。一方、縮小の方法としてはニアレストネイバー法、バイリニア法、バイキュービック法、Ｌａｎｃｚｏｓ法などいずれの方法を用いてもよく、縮小の効果として解析時間の短縮がある。これらは必要に応じて使い分ければよい。
【産業上の利用可能性】
【００６１】
本発明は涙液層の干渉縞画像を用いるドライアイの診断において崩壊する涙液層の状態を観察者の力量によらずに客観的に数値化する方法として利用することが可能である。特に、開瞼時から５秒後時点の涙液層崩壊の有無によりドライアイか否かを判断するとする近年採択の新たな基準に照らしたとき、非侵襲で、且つ、簡便で効率的な判定を可能とするものである。
【図１】
2019009277.tif 000003
【図２】
2019009277.tif 000004
【図３】
2019009277.tif 000005
【図４】
2019009277.tif 000006
【国際調査報告】
2019009277.tif 000007
2019009277.tif 000008
2019009277.tif 000009
2019009277.tif 000010